(57)【要約】【課題】カード型記憶装置に直接ラベルを印刷するための簡便な方法を提供する。【解決手段】コンパクトディスクと同様の外形であり、カード型記憶装置の固定機構（印刷窓５〜８）を有する治具３によって、カード型記憶装置のラベルを既存のコンパクトディスクのラベル印刷機能を用いて印刷可能な印刷装置を実現する。位置合わせが必要な場合は、治具３の周囲に設けられた角度目盛り１０と基準矢印１１を用いることで、印刷ずれを補正することができる。【選択図】図２
2006142643.tif 000002
【特許請求の範囲】
【請求項１】
コンパクトディスクと同様の外形でカード型記憶装置の固定機構とその印刷窓を有する治具を用いて、カード型記憶装置のラベルを印刷する印刷装置。
【請求項２】
前記冶具において、角度目盛を設定しテスト印刷の基準線の示す補正角を用いて円周上の位置補正を行う請求項１記載の印刷装置。
【請求項３】
前記冶具において、底面の素材を伸縮性のあるものとし、カード型記憶装置の厚さの相違に関わらずラベル印刷面の突起を概略均一とする請求項１記載の印刷装置。
【発明の詳細な説明】
【技術分野】
【０００１】
本発明は、カード型記憶装置にラベル印刷を行う印刷装置に関する。
【背景技術】
【０００２】
小型で薄型のカード型記憶装置（以下、メモリカードと称す）は、デジタルスチルカメラの画像データ保存などの用途で広く用いられている。しかし、あまりに小型であることや、規格が乱立し様々の形状のものが存在することなどの理由で低価格なラベル印刷環境を提供することが難しい。
【０００３】
一方、音楽及びパソコンのデータ保存などで広く用いられている追記型コンパクトディスク（以下、ＣＤと称す）においては、特許文献１のようなシール貼付方式や、特許文献２や特許文献３のようなプリンタによる直接印刷の方法が低価格で実現されている。
【特許文献１】特開２００３−５４５２３号公報（ラベル貼付治具）
【特許文献２】特開平１１−５８７１２号公報（画像記録装置）
【特許文献３】特開２００３−１０４５９０号公報（給排紙トレー、記録装置）
【発明の開示】
【発明が解決しようとする課題】
【０００４】
上述したシール貼付方式は、メモリカードに対しても比較的容易に実現可能だが、メモリカードの規格によっては、シールの厚さの条件が厳しいものもあり、必ずしも利用可能とは言えない。また、メモリカードに対しても直接プリンタなどでラベルに印刷するのが理想的であるが、メモリカードの形状が様々であるためプリンタ自体にその固定及び印刷機構を内蔵するのはあまり経済的ではない。
【０００５】
本発明は上記課題を解決し、メモリカードに直接ラベルを印刷しうる印刷装置を安価に提供することである。
【課題を解決するための手段】
【０００６】
本発明は、コンパクトディスクと同様の外形でメモリカードの固定機構とその印刷窓を有する治具によってメモリカードを、ＣＤラベル印刷機能を有するプリンタに対してＣＤと同様に固定し、メモリカードのラベルを、ＣＤラベル印刷機能を用いて印刷することを可能とする。
【０００７】
また、点対称のＣＤに対するラベル印刷では円周上の位置あわせ機構が存在しないため、治具に角度目盛りを施しテスト印刷で基準線を印字させ基準線と目盛りから得られた補正角で画像処理を行い、円周上に配置された印刷窓に対する位置あわせ機能を提供する。
【０００８】
また、治具のＣＤ記録面（底面）に伸縮性のある素材を用い、ＣＤよりも厚さのあるメモリカードであっても治具底面以下にはみ出させることによりＣＤラベル面側の凹凸を抑え、メモリカードの厚さに無関係に印刷可能とする。
【発明の効果】
【０００９】
本発明によれば、既存のＣＤラベル印刷機能を変更することなく、低コストでメモリカードラベル印刷機能を得られるという利点がある。また、シール貼付と異なり直接印刷出来ることから、メモリカードの厚さを増す欠点もない。
【発明を実施するための最良の形態】
【００１０】
以下、本発明の実施の形態について、図面を用いて説明する。
【００１１】
（実施の形態１）
図１は、本発明の実施の形態による印刷装置を含む印刷システムの構成図である。同図において、パソコン１は、印刷装置であるプリンタ２に対する印刷指示及び印刷すべきラベル画像の作成を行う。プリンタ２には治具３がセットされ、治具３にはメモリカード４がセットされる。
【００１２】
図２は、治具３の平面図である。治具３はＣＤと同様の外形寸法であり、数種類のメモリカードを固定するための溝または穴で構成される印刷窓５〜８が用意されている。スマートメディア（登録商標）などのＣＤよりも薄いメモリカードに関しては、位置固定のための固定の底面が存在する溝、ＳＤメモリカードなどのＣＤよりもメディアの厚みが大きいものは、穴と底面のビニル素材（伸縮性を有する素材であれば、この限りでない）で保持する形となっている。また、冶具３には、位置合わせのための基準矢印１１及び角度目盛り１０が設けてある。
【００１３】
図３は、図２のＡ−Ａ線で示した、治具３の印刷窓５を側面から見た断面図である。ＣＤよりもメディア厚の大きいＳＤメモリカードを保持するため、治具３上の印刷窓５を貫通させ、更に底面に接着された伸縮性のあるビニル素材９で保持している。
【００１４】
治具３は、まずメモリカード４をセットせずにラベル面全面に透明なフィルムを貼り付けた状態でプリンタ２に通常のＣＤラベル印刷と同様にプリンタ２にセットする。但し、このとき印刷位置基準として利用可能なプリンタ２側の固定点またはそれが無い場合（プリンタトレイに目印と出来る箇所が無いとき）はシールなどによってプリンタ２の本体側に設定された基準点を用いて、治具３に設けてある基準矢印１１を合わせる。パソコン１からは基準（０度）の矢印をＣＤラベル画像として印刷し、透明フィルム上に印刷された矢印が示す治具３上の目盛り１０を読むことにより、円周上の位置あわせのための補正角度を得ることが出来る。
【００１５】
次に、パソコン１上でユーザーと対話的に画像処理が行えるシステム（あるいはアプリケーションソフト）によりＣＤラベル画像を生成する。このＣＤラベル画像は、治具３上のメモリカード印刷窓５〜８の位置にユーザー所望のメモリカードラベル画像を配置したものであり、任意の原画像を印刷窓の大きさに合わせるための回転・拡大縮小などの処理を行い、またＣＤラベル上の円周上の位置を合わせるため先ほどの補正角でもってＣＤラベル画像全体を回転させたものである。また、メモリカードラベル画像以外の部分は白色（または無色）となっている。
【００１６】
次に、治具３に貼り付けたフィルムを取り外し、メモリカード印刷窓５にメモリカード４をセットし、治具３を再度プリンタ２に初回の印刷時と同様に基準位置を用いてセットする。然る後、パソコン１上で生成されＣＤラベル画像をプリンタ２により印刷する。
【００１７】
以上により、低価格な治具３によりプリンタ２の既存のＣＤ印刷機能でメモリカード４のラベル面に任意の画像を印刷できる印刷装置を得られる。
【００１８】
なお、本実施の形態では、図２に示すように複数種類のメモリカードをセットする構成を開示しているが、同一種類のメモリカードを複数枚セットする構成としてもよい。
【産業上の利用可能性】
【００１９】
本発明にかかる印刷装置は、既存のＣＤラベル印刷機能を利用し、低コストでメモリカードラベル印刷機能を得ることができ、また、メモリカードの厚さを増すことなくメモリカード表面に所望の情報を直接印刷出来るという効果を有し、印刷装置、印刷装置用治具、印刷システム等として有用である。
【図面の簡単な説明】
【００２０】
【図１】本発明の実施の形態による印刷装置を含めた印刷システムの構成図
【図２】同印刷装置に用いられる治具の平面図
【図３】同印刷装置の治具の印刷窓の断面図
【符号の説明】
【００２１】
１    パソコン
２    プリンタ（印刷装置）
３    治具
４    メモリカード
５〜８    印刷窓
９    底面素材
１０    角度目盛り
１１    基準矢印
【図１】
2006142643.tif 000003
【図２】
2006142643.tif 000004
【図３】
2006142643.tif 000005